(57)【要約】      （修正有）【課題】ユーザ自身が微妙な力加減を行うことによって適正なパッティングストロークに近づけることが可能なゴルフパッティング練習器具を提供する。【解決手段】ゴルフボール９００をパッティングする際の軌跡で移動するパターのシャフトに当接しないように形成されるシャフト移動用通路が形成され、パッティングにおけるテイクバック時のパターのヘッドの所定の基準移動軌跡に沿った底部形状を有するガイド部材１１０，２１０と、被載置面とガイド部材１１０，２１０の底部との間でパターのヘッドを移動させて被載置面上に載置されたゴルフボール９００をパッティングする際に、パターのヘッドが被載置面に対して所定の基準移動軌跡よりも高い位置を通過する軌跡で移動した場合にヘッドの上部にガイド部材１１０，２１０の底部が当接するような高さで、ガイド部材を支持する支持部１２０，２２０，３００と、を備える。【選択図】図１
2016097281.tif 000002
【特許請求の範囲】
【請求項１】
被載置面上に載置されたゴルフボールをパッティングする際の軌跡で移動するパターのシャフトに当接しないように形成されるシャフト移動用通路が形成され、前記パッティングにおけるテイクバック時の前記パターのヘッドの所定の基準移動軌跡に沿った底部形状を有するガイド部材と、
前記被載置面と前記ガイド部材の底部との間で前記パターのヘッドを移動させて前記被載置面上に載置されたゴルフボールをパッティングする際に、前記パターのヘッドが前記被載置面に対して前記所定の基準移動軌跡よりも高い位置を通過する軌跡で移動した場合に前記ヘッドの上部に前記ガイド部材の底部が当接するような高さで、前記ガイド部材を支持する支持部と、
を備えるパッティング練習器具。
【請求項２】
前記ガイド部材は、前記被載置面に略平行な底部形状を有する第１の区間と、前記第１の区間の前記パッティングのショット方向下流側に位置し、前記第１の区間の前記ショット方向下流側端部の高さ位置から前記ショット方向下流側へ向けて徐々に上昇する斜面に形成された底部形状を有する第２の区間とを備える請求項１に記載のパッティング練習器具。
【請求項３】
前記被載置面と前記ガイド部材の底部との間で前記パターのヘッドを移動させて前記被載置面上に載置されたゴルフボールをパッティングする際に、前記パターのヘッドが、前記パッティングのショット方向と直交する幅方向において前記所定の基準移動軌跡から所定距離以上ずれた場合に前記ヘッドの側面をガイドする側面ガイド部材をさらに備える請求項１に記載のパッティング練習器具。
【請求項４】
前記側面ガイド部材は、その上側端が、前記パッティングのショット方向と直交する幅方向においてスライド可能なように前記ガイド部材に支持されている請求項３に記載のパッティング練習器具。
【請求項５】
前記支持部は、前記ガイド部材を支持する高さ位置を調整可能な調整機構を備える請求項１に記載のパッティング練習器具。
【請求項６】
前記ガイド部材は、前記シャフト移動用通路を挟んだ、独立した第１および第２の板状部材から構成され、
前記支持部は、前記第１および第２の板状部材それぞれを支持する第１および第２の支持台部と、前記第１および第２の支持台部それぞれの前記パッティングのショット方向上流側端部付近同士を連結する連結部とを備え、
前記連結部は、前記第１および第２の支持台部に対して前記パッティングのショット方向にスライド可能に接続されている請求項１に記載のパッティング練習器具。
【発明の詳細な説明】
【技術分野】
【０００１】  本発明は、ゴルフのパッティングのスイング練習に用いる器具に関する。
【背景技術】
【０００２】  従来、ゴルフのパッティングのスイングの練習に用いられる器具として、種々の練習器具が提供されている。【０００３】  例えば、パターヘッドを、所定の軌跡のガイドレールに沿ってスライドする保持器に保持させ、上記所定の軌跡のストロークを習得させるゴルフパッティング練習器具が知られる（例えば、特許文献１を参照。）。【０００４】  また、パターのシャフトを所定のガイド部材によってガイドし、当該ガイド部材によってガイドされる軌跡でのストロークを習得させるゴルフパッティング練習器具が知られる（例えば、特許文献２を参照。）。【０００５】  この他、パターのヘッドのストローク方向と直交する方向におけるブレを矯正するために、パターヘッドの側面を所定のガイド部材によってガイドするゴルフパッティング練習器具が知られる（例えば、特許文献３を参照。）。【０００６】  さらに、パターヘッドの底面を所定の軌跡のガイド面に沿わせるようにスイングすることで、上記所定の軌跡でのパッティングストロークを習得させるゴルフパッティング練習器具が知られる（例えば、特許文献４および５を参照。）。
【発明の概要】
【発明が解決しようとする課題】
【０００７】  ゴルフのパッティングにおいて、パッティングされたボールにどのような方向の回転がかかるかは非常に重要な要素となることが知られている。【０００８】  パターヘッドのフェイス面は、シャフトの中心線に対して傾斜するように設定されているため（いわゆる、Ｌｏｆｔ  ａｎｇｌｅ）、パッティング動作のテイクバック（Ｔａｋｅ  ｂａｃｋ）時にパターヘッドを必要以上に芝面から高く上げてしまうと、パターヘッドのボールへのインパクトの際に、ボールを上方から鋭角な状態でヒットしてしまい、ボールにバックスピンがかかってしまう。【０００９】  パッティングの際にボールにバックスピンがかかってしまうと、転がりが悪くなる上、距離感が合わなくなり、ラインにも影響されやすくなる。【００１０】  一方、パッティング動作におけるテイクバック時にパターヘッドを必要以上に高く上げないようにし、低い高さ位置からボールをヒットすると、ボールにオーバースピン（順回転）がかかり、芝上での転がりが良く、距離感がとりやすくなり、ラインにも影響されにくくなる。【００１１】  このように、ゴルフのパッティングにおいては、そのパッティング動作におけるテイクバック時のパターヘッドの高さ位置をできるだけ低く維持することが重要となるが、上記従来の各種パッティング練習器具では、特に「テイクバック時のパターヘッドの高さ位置を低くする」点に着目した練習理論を採用したものは見当たらない。その一例として、市販されているほとんどのパッティング練習器具は、例えば、特許文献３のようなパターヘッドの側面（ショット方向と直交する方向における端部側面）をガイドしてスイング矯正するものがほとんどである。【００１２】  また、所定の理想的なスイングストロークに沿ってガイドレールでガイドする練習器具（例えば、特許文献１を参照。）については、練習を行うユーザは、理想的なストロークでのスイングをガイドレールによって矯正されて再現するものであり、ユーザ自身が上下方向に微妙な力加減を行うことによって適正なストロークでのショットを目指す実際のパッティングの状況とは大きく異なる。当然、機械的にガイドされて同じ軌跡を往復動させる練習よりも、ユーザ自身の身体感覚を駆使して微妙な力加減等を行うことによって適正なストロークに近づくように努力する練習法は、習得効率が高くなることが想定される。【００１３】  さらに、上述のように、芝上のボールのどの高さ位置を打つかは、ショット後のボールの回転に大きく影響を与えるため、練習時においても、ボールが載置される地面や芝面とボールとの位置関係等を視認しながらスイングできることが好ましい。しかしながら、
例えば特許文献１、２、４および５に開示されるような構成では、これら練習器具を使用するユーザはボールとボールが載置されている面との関係を視認し辛く、芝面上に載置されたボールを打つ実際のシーンを練習時にイメージしにくい。【００１４】  本発明は上述した問題点を解決するためになされたものであり、ゴルフのパッティング動作におけるテイクバック時のパターヘッドの高さ位置を特に意識したスイング矯正を可能とするとともに、芝面上に載置されたボールを打つ状況に近いイメージで練習を行うことができ、ユーザ自身が微妙な力加減を行うことによって適正なパッティングストロークに近づけることが可能なゴルフパッティング練習器具を提供することを目的とする。
【課題を解決するための手段】
【００１５】  上記課題を解決するため、本発明の一態様は、被載置面上に載置されたゴルフボールをパッティングする際の軌跡で移動するパターのシャフトに当接しないように形成されるシャフト移動用通路が形成され、前記パッティングにおけるテイクバック時の前記パターのヘッドの所定の基準移動軌跡に沿った底部形状を有するガイド部材と、前記被載置面と前記ガイド部材の底部との間で前記パターのヘッドを移動させて前記被載置面上に載置されたゴルフボールをパッティングする際に、前記パターのヘッドが前記被載置面に対して前記所定の基準移動軌跡よりも高い位置を通過する軌跡で移動した場合に前記ヘッドの上部に前記ガイド部材の底部が当接するような高さで、前記ガイド部材を支持する支持部と、を備えるパッティング練習器具に関する。
【発明の効果】
【００１６】  以上に詳述したように、本発明によれば、ゴルフのパッティング動作におけるテイクバック時のパターヘッドの高さ位置を特に意識したスイング矯正を可能とするとともに、芝面上に載置されたボールを打つ状況に近いイメージで練習を行うことができ、ユーザ自身が微妙な力加減を行うことによって適正なパッティングストロークに近づけることが可能なゴルフパッティング練習器具を提供することができる。
【図面の簡単な説明】
【００１７】
【図１】第１の実施の形態によるゴルフパッティング練習器具Ｐ１の全体の概観を示す概観斜視図である。
【図２】第１の実施の形態によるゴルフパッティング練習器具Ｐ１を上方から見た平面図である。
【図３】第１の実施の形態によるゴルフパッティング練習器具Ｐ１の図２におけるＡ−Ａ断面矢視図である。
【図４】第１の実施の形態によるゴルフパッティング練習器具Ｐ１の図２におけるＢ−Ｂ断面矢視図である。
【図５】様々な形状を有するパターのヘッドの一例を示す図である。
【図６】第１の実施の形態によるゴルフパッティング練習器具Ｐ１におけるサイズ調整機構について説明するための図である。
【図７】第１の実施の形態によるゴルフパッティング練習器具Ｐ１におけるサイズ調整機構について説明するための図である。
【図８】第１の実施の形態によるパッティング練習器具を使用している状態を上方から見た平面図である。
【図９】第１の実施の形態によるパッティング練習器具を使用している状態を上方から見た平面図である。
【図１０】第１の実施の形態によるパッティング練習器具を使用している状態を正面から見た正面図である。
【図１１】第１の実施の形態によるパッティング練習器具を使用している状態を側方から見た側面図である。
【図１２】本発明の第２の実施の形態によるゴルフパッティング練習器具の概観を示す斜視図である。
【図１３】本発明の第３の実施の形態によるゴルフパッティング練習器具Ｐ３を上方から見た平面図である。
【発明を実施するための形態】
【００１８】  以下、本発明の実施の形態について図面を参照しつつ説明する。
【００１９】（第１の実施の形態）
まず、本発明の第１の実施の形態について説明する。
【００２０】＜装置構成＞
図１は、第１の実施の形態によるゴルフパッティング練習器具Ｐ１の全体の概観を示す概観斜視図である。図２は、第１の実施の形態によるゴルフパッティング練習器具Ｐ１を上方から見た平面図である。図３は、第１の実施の形態によるゴルフパッティング練習器具Ｐ１の図２におけるＡ−Ａ断面矢視図である。図４は、第１の実施の形態によるゴルフパッティング練習器具Ｐ１の図２におけるＢ−Ｂ断面矢視図である。なお、図１では、後述するナットＮの図示は省略している。
【００２１】  第１の実施の形態によるゴルフパッティング練習器具Ｐ１は、例えば、「ガイド部材」と「支持部」と、側面ガイド部材１３０と、を備えている。
【００２２】  本実施の形態における「ガイド部材」は、例えば、第１の板状部材１１０、第２の板状部材２１０、等を備えることができる。
【００２３】  また、本実施の形態における「支持部」は、例えば、第１の支持台部１２０と、第２の支持台部２２０と、連結部３００と、を備えることができる。
【００２４】  本実施の形態における「ガイド部材」は、被載置面上に載置されたゴルフボールを理想的な所定のストロークでパッティングする際に移動するパターのシャフトに当接しないように形成されるシャフト移動用通路Ｑが形成されており、パッティングにおけるテイクバック時のパターのヘッドの所定の基準移動軌跡（図３および後述の図１１を参照）に沿った底面（底部）形状を有している。ここでの「所定の基準移動軌跡」とは、載置面に平行であり、且つ、載置面に対して適切な高さ位置で移動する理想的な移動軌跡を意味している。
【００２５】  また、本実施の形態における「支持部」は、被載置面と「ガイド部材」の底部との間でパターのヘッドを移動させて被載置面上に載置されたゴルフボール９００をパッティングする際に、パターのヘッドＰｈが被載置面に対して所定の基準移動軌跡よりも高い位置を通過する軌跡で移動した場合にヘッドＰｈの上部に第１の板状部材１１０および第２の板状部材２１０の底面が当接するような高さ位置となるように、ガイド部材を支持する。
【００２６】  本実施の形態における「ガイド部材」は、パッティングのショット方向（例えば、図１および図２を参照）において「第１の区間」と「第２の区間」とに区分されている。
【００２７】  ここで、「第１の区間」とは、被載置面に略平行な底部形状を有する区間である。
【００２８】  また、「第２の区間」とは、パッティングのショット方向における、「第１の区間」の下流側に位置し、「第１の区間」のショット方向下流側端部の高さ位置からショット方向下流側へ向けて徐々に上昇する斜面に形成された底部形状を有する区間である。
【００２９】  パターをスイングする人間の腕が肩関節を支点として振り子状に回転するため、フォローではヘッドは少しずつ上がっていくものであり、またヘッドよりもボールの方が高さがあるので、ボールがスムーズに転がっていくようボールの進行方向に向かって板を湾曲させることが望ましい。
【００３０】  もちろん、「第２の区間」の底部形状は、ショット方向下流側へ向けて徐々に上昇する湾曲面に限らず、直線的に上昇する斜面とすることもできるし、段階的に上昇する階段形状とすることもできる。
【００３１】  本実施の形態では、「ガイド部材」は、シャフト移動用通路Ｑを挟んだ、独立した第１の板状部材１１０および第２の板状部材２１０から構成される。ここで、第１の板状部材１１０および第２の板状部材２１０は、例えば透明もしくは半透明のアクリルやポリカーボネート等の材料から構成することができる。これにより、練習時におけるボール、パターヘッド、ボール載置面等の視認性が高まる。
【００３２】  「支持部」は、第１の板状部材１１０および第２の板状部材２１０それぞれを支持する第１の支持台部１２０および第２の支持台部２２０と、第１の支持台部１２０および第２の支持台部２２０それぞれのパッティングのショット方向上流側端部付近同士を連結する連結部３００とを備える。
【００３３】  第１の支持台部１２０および第２の支持台部２２０には、それぞれ棒ネジ１２０ｓおよび２２０ｓが立設されている。第１の板状部材１１０および第２の板状部材２１０には、これら棒ネジを挿通するための孔が形成されており、第１の板状部材１１０および第２の板状部材２１０の当該孔に棒ネジ１２０ｓおよび２２０ｓを挿通した状態でナットＮによってネジ留め固定する。
【００３４】  図５は、様々な形状を有するパターのヘッドの一例を示す図である。ゴルフのパターのヘッドには、「ピンタイプ」、「ブレードタイプ」、「マレットタイプ」など、様々な形状のものがあり、ヘッド自体の高さ方向におけるサイズも様々である。また、ヘッドに対してシャフトが接続される位置も「センターシャフト」、「オフセットシャフト、「ヒールシャフト」など、様々な種類がある。
【００３５】  このような構成とすることにより、第１の板状部材１１０および第２の板状部材２１０の被載置面からの高さ位置を、パッティング練習に使用するパターのヘッドの高さに応じて自在に調節することができる。このとき、少なくとも、第１の板状部材１１０および第２の板状部材２１０の被載置面に対する高さ位置を調整する際には、第１の板状部材１１０および第２の板状部材２１０の第１の区間の底面部分が被載置面に対して平行となるように維持する。
【００３６】  もちろん、被載置面に対する第１の板状部材１１０および第２の板状部材２１０の高さ位置を調整する機構としては、複数のネジ棒をそれぞれ調整する構成に限られるものではなく、例えば、所定の軸方向にのみ昇降可能な昇降機構を第１の板状部材１１０および第２の板状部材２１０それぞれに少なくとも一つずつ設けることにより、第１の板状部材１１０および第２の板状部材２１０の第１の区間の底面が常に被載置面に対して平行な姿勢となるように高さ調節できるようにしてもよい。
【００３７】  連結部３００は、第１の支持台部１２０および第２の支持台部２２０に対してパッティングのショット方向にスライド可能に接続されている（図２、図３、図６および図７を参照）。
【００３８】  具体的には、第１の支持台部１２０および第２の支持台部２２０は、それぞれにスライド溝１２０ｇおよび２２０ｇが形成されており（図１および図２を参照）、これらスライド溝１２０ｇおよび２２０ｇに、連結部３００の接続部３３０の両端に設けられているスライダ３１０および３２０が相対的にスライド可能なように嵌め込まれている。これにより、第１の支持台部１２０および第２の支持台部２２０は、それぞれが連結部３００に対して任意にスライド可能となる。もちろん、ここで採用可能なスライド機構は、スライド対象である両部材をリニア方向に相対的にスライド可能とできる構成であればよく、他のスライド構造を採用することも可能であることは言うまでもない。
【００３９】  このように、第１の支持台部１２０および第２の支持台部２２０それぞれの、パッティングのショット方向上流側端部付近同士を連結部によって連結することにより、パッティング練習時に連結部がパターヘッドのフォロースルー動作やパッティングされたゴルフボールの転がりを阻害することがない。
【００４０】  また、連結部３００を、第１の支持台部１２０および第２の支持台部２２０に対してパッティングのショット方向にスライド可能とすることで、連結部を第１の支持台部１２０および第２の支持台部２２０のパッティングのショット方向に邪魔にならない位置までスライドさせることで、パッティング動作時のパターヘッドをテイクバック可能な距離を調整することができる。
【００４１】  また、側面ガイド部材１３０は、被載置面とガイド部材の底部との間でパターのヘッドを移動させて被載置面上に載置されたゴルフボールをパッティングする際に、パターのヘッドが、パッティングのショット方向と直交する幅方向において所定の基準移動軌跡から所定距離以上ずれた場合にヘッドの側面をガイド面１３０ｆによってガイドする。
【００４２】  側面ガイド部材１３０により、パッティング時における、パターのヘッドの高さ方向における矯正だけでなく、ショット方向と直交する幅方向におけるパターのヘッドの位置も矯正することができる。
【００４３】  側面ガイド部材１３０は、例えば、その上側端が、パッティングのショット方向と直交する幅方向においてスライド可能なようにガイド部材に支持されている（例えば、図４を参照）。具体的には、側面ガイド部材１３０は、第１の板状部材に形成されているガイド用切欠き１１２ｇによって、ガイド用切欠き１１２ｇが延びる方向（ショット方向と直交する方向）に自由にスライド可能となっている（図２、図４、図６および図７等を参照）。
【００４４】  本実施の形態における「支持部」は、ネジ１２０ｓおよび２２０ｓとナットＮから構成される「調整機構」を備える。この調整機構により、ガイド部材としての第１の板状部材１１０および第２の板状部材２１０を支持するとともに、載置面からの高さ位置を調整可能とすることができる（図３を参照）。
【００４５】  本実施の形態におけるパッティング練習器具は、特にテイクバック時におけるパターのヘッドの高さ位置を適正な低い高さ位置に維持させるようスイング矯正するため、ガイド部材の底面とパターヘッドの上部Ｐｈｔとの距離（後述の図１０に示す隙間ＣＬを参照）を調整できることは重要である。
【００４６】  この隙間ＣＬは、パッティング練習を始めて間もない時期には、パターのヘッドがガイド部材に頻繁に接触してしまうため広めに設定しておき、慣れてきてテイクバックが理想的なストロークに近づくにつれて狭くなるように調節することができる。これにより、個々のプレイヤが自己の上達度に応じて、パッティング練習の難易度を調節することが可能となる。
【００４７】  図８および図９は、第１の実施の形態によるパッティング練習器具を実際の練習に使用している状態を上方から見た平面図であり、図１０は第１の実施の形態によるパッティング練習器具を使用している状態を正面（Ｂ−Ｂ断面方向）から見た正面図である。
【００４８】  図８および図９に示すように、第１の実施の形態によるパッティング練習器具によりパッティング練習を行う際には、まずゴルフボールを第１の区間のショット方向下流側端部付近に載置する（図８を参照）。
【００４９】  そして、パターのヘッドＰｈの上面を第１の板状部材１１０および第２の板状部材２１０の底面よりも低い位置に維持しながら、パターのシャフトをシャフト移動用通路Ｑ内に位置させる（図８、図１０および図１１を参照）。
【００５０】  プレイヤは、図８に示す状態からパターのヘッドＰｈの上面を第１の板状部材１１０および第２の板状部材２１０の底面に接触させないようにしつつ（図１０および図１１を参照）、且つ、パターのシャフトが第２の板状部材２１０の側端２１０ｅに接触しないようにしながら（図１０を参照）、パターのヘッドＰｈが側面ガイド部材１３０のガイド面１３０ｆに接触しないように（図１０を参照）、テイクバックの動作を行う。
【００５１】  テイクバック動作完了後、テイクバックに移行する際と同様に、図９に示す状態からパターのヘッドＰｈの上面を第１の板状部材１１０および第２の板状部材２１０の底面に接触させないようにしつつ（図１０および図１１を参照）、且つ、パターのシャフトが第２の板状部材２１０の側端２１０ｅに接触しないようにしながら（図１０を参照）、パターのヘッドＰｈが側面ガイド部材１３０のガイド面１３０ｆに接触しないようにしつつ（図１０を参照）、所定位置に載置されたゴルフボールを打つ。
【００５２】  このように、本実施の形態によるパッティング練習器具によれば、ゴルフのパッティング動作におけるテイクバック時のパターヘッドの上部が基準移動軌跡よりも高い高さ位置まで上がるのをガイド部材の底部によって規制することができる。これにより、テイクバック時におけるパターヘッドの高さ位置を特に意識したスイング矯正を実現することができる。
【００５３】  また、被載置面に載置されたボールを打つことにより、芝面上に載置されたボールを打つ状況に近いイメージで練習を行うことができる。これは、特にテイクバック時におけるボールに対するパターヘッドの高さ位置を矯正する上では大きな効果を奏する。
【００５４】  さらに、ガイドレール等で機械的に強制的にガイドされる構成に比べて、ユーザ自身が微妙な力加減を行うことによって適正なパッティングストロークに近づける練習を行うことができ、より実際のパッティングに近い練習環境を提供することができる。
【００５５】（第２の実施の形態）
次に、本発明の第２の実施の形態について説明する。
【００５６】  本実施の形態は、上述の第１の実施の形態の変形例である。第２の実施の形態は、その基本的構成は第１の実施の形態と同様であるが、具体的に使用している調節部品や概観デザインが第１の実施の形態とは異なる。以下、本実施の形態において、上述の第１の実施の形態においてすでに述べた部分と同様な機能を有する部分については、同一符号を付し、説明は省略する。
【００５７】  図１２は、本発明の第２の実施の形態によるゴルフパッティング練習器具の概観を示す斜視図である。
【００５８】  第１の実施の形態にて示したパッティング練習器具Ｐ１は、第１の板状部材１１０、第２の板状部材２１０、第１の支持台部１２０、第２の支持台部２２０および第１連結部３００が矩形の部材の組み合わせによって構成されていたが、デザイン性等の観点から角を丸めた形状の部材によって構成してもよい。
【００５９】  また、第１の板状部材１１０および第２の板状部材２１０の昇降に用いる昇降機構も、第１の実施の形態にて示したようなネジ棒を用いる構成に限らず、ガイドとスライダとの組み合わせによって無段階調節で昇降可能とし、任意の高さ位置でネジ等によって高さ位置を固定する構成を採用してもよい。
【００６０】（第３の実施の形態）
次に、本発明の第３の実施の形態について説明する。
【００６１】  本実施の形態は、上述の各実施の形態の変形例である。第３の実施の形態は、ガイド部材の構成が、第１の実施の形態とは異なっている。第１の実施の形態と以下、本実施の形態において、上述の第１の実施の形態においてすでに述べた部分と同様な機能を有する部分については、同一符号を付し、説明は省略する。
【００６２】  図１３は、本発明の第３の実施の形態によるゴルフパッティング練習器具Ｐ３を上方から見た平面図である。
【００６３】  第３の実施の形態によるゴルフパッティング練習器具Ｐ３では、第１の板状部材１１０の構成は第１の実施の形態において示したものと同様であり、第２の板状部材２１０’は、ショット方向に延びる直線的な軌跡を中心線とした、第１の板状部材１１０と線対称な形状となっている。
【００６４】  したがって、第１の実施の形態において示した第１の板状部材１１０における、ガイド用切欠き１１２ｇと側面ガイド部材１３０は、第２の板状部材２１０’における、ガイド用切欠き２１２ｇ、側面ガイド部材２３０に相当するものであり、同様な構成を有している。
【００６５】  一般に、右利き用のパターのヘッドは、シャフトよりもプレイヤの体から離れる側に突きだした形状を有しているため、例えば第１の実施の形態のように、側面ガイド部材は第１の板状部材側にのみ設ける構成を採用し得る。
【００６６】  しかしながら、パッティング練習を行うプレイヤが左利きであったり、第２の板状部材の下側にまで大きく突き出すような特殊な形状のヘッドのパターを使用したりする場合、パターのヘッドの上部を、第２の板状部材２１０’の下面によって、テイクバック動作時の浮き上がりを規制する必要が生ずる場合もあり得る。
【００６７】  そこで、本実施の形態では、左利きのプレイヤでもパッティング練習を行いやすいように、左利きのプレイヤの体から遠い側に位置する第２の板状部材２１０’にも側面ガイド部材２３０を設け、パターヘッドが第２の板状部材の下に潜り込み過ぎないように規制する構成としている。
【００６８】  なお、上述の各実施の形態における「被載置面」とは、ユーザが本実施の形態によるパッティング練習器具を使用する際に当該練習器具およびゴルフボールを載置する面を意味しており、その面を構成する材質は問わない。したがって、ここでの「被載置面」としては、例えば、自然芝面、人工芝面、フローリング、カーペット、クッションフロア、土肌の地面などが挙げられる。
【００６９】  また、上述の各実施の形態では、ガイド部材における第１の区間と第２の区間とが、ショット方向（例えば、図１、図２等を参照）において連続するように一つの板状部材によって一体的に形成されている構成を例示したが、これに限られるものではない。例えば、別部材からなる第１の区間と第２の区間とを連結することによってガイド部材を構成してもよい。また、第１の区間と第２の区間とは、必ずしもショット方向において厳密に連続している必要はなく、ショット方向においてある程度の隙間をおいて隣接配置することもできる。
【００７０】  また、上述の各実施の形態では、ガイド部材が第１の区間および第２の区間を備える構成を例示したが、これに限られるものではなく、ガイド部材を第１の区間のみから構成してもよい。すなわち、少なくともパッティングにおけるテイクバック時のパターヘッドの浮き上がりを抑制することができればよく、ボールをヒットした後のパターヘッドの軌跡については必ずしも規制する必要はない。
【００７１】  もちろん、ガイド部材が第１の板状部材と第２の板状部材のペアから構成される上記各実施の形態において、いずれか一方の板状部材のみを第１の区間のみからなる構成とすることもできる。
【００７２】  また、上述の各実施の形態では、ガイド部材が第１の板状部材と第２の板状部材のペアから構成される場合を例示したが、パターのヘッドの形状によっては、第１の板状部材および第２の板状部材のいずれか一方のみでヘッドの上部を十分に規制できる場合があり得る。このような場合、ガイド部材を、上述の各実施の形態で示した第１の板状部材および第２の板状部材の内のいずれか一方のみとすることもできる。
【００７３】  なお、上述の各実施の形態では、「ガイド部材」を板状部材によって構成し、板状部材の「底面」の形状によって、テイクバック時のパターヘッドの上部を規制する構成を例示したが、これに限られるものではない。例えば、「ガイド部材」を棒状部材等のように広い面積の底面を有さない部材によって構成し、面ではなく部材の底部をガイドレールのように機能させることもできる。
【００７４】  また、上述の各実施の形態では、ガイド部材を構成する第１の板状部材と第２の板状部材とを、「支持部」を介して一体的に連結する構成となっているが、これに限られるものではない。例えば、第１の板状部材と第２の板状部材の、ショット方向下流側端部付近を連結する構成としてもよい。この場合、当該連結部位は、パッティングの際のストロークを邪魔しないように、ゴルフボールを載置する位置（第１の区間のショット方向下流側端部付近）からショット方向下流側に十分に離れた位置であることが好ましい。このように、第１の板状部材と第２の板状部材とを同一の板状部材を用いて一体的に形成することにより、ガイド部材全体を支持する際の支持機構を、第１の板状部材と第２の板状部材とを離して支持する場合よりも単純化することができる。
【００７５】  また、上述の各実施の形態では、側面ガイド部材の板状部材に対するスライド機構、第１の支持台部１２０および第２の支持台部２２０の連結部３００に対するスライド機構ともに、無段階調整が可能な構成となっているが、必ずしもこれに限られるものではない。例えば、相対移動させたい方向に双方に部材に複数の孔を形成し、所望の位置関係でネジやピン等によって双方の部材の相対的な位置関係を規定してもよい。
【００７６】  また、上述の第１および第２の実施の形態では、パターのヘッドＰｈの上面を第１の板状部材１１０および第２の板状部材２１０の底面に接触させないようにしつつ、且つ、パターのシャフトが第２の板状部材２１０の側端２１０ｅに接触しないようにしながら、パターのヘッドＰｈが側面ガイド部材１３０のガイド面１３０ｆに接触しないようにテイクバックの動作を行うが、結果として同等の訓練成果を得られれば、必ずしも同じ構成には限られない。
【００７７】  例えば、側面ガイド部材１３０を設ける代わりに、パターのシャフトのショット方向と直交する方向における移動を規制する部材を設けることで、パッティング練習時に、パターのヘッドＰｈの上面を第１の板状部材１１０および第２の板状部材２１０の底面に接触させないようにしつつ、且つ、パターのシャフトが幅方向において所定の規制部材に接触しないようにテイクバックの動作を行う構成としてもよい。
【００７８】  このように、上述した各実施の形態は、互いに任意の実施の形態同士を、技術的矛盾が生じない範囲において自由に組み合わせることができる。
【００７９】  本発明は、その精神または主要な特徴から逸脱することなく、他の様々な形で実施することができる。そのため、前述の実施の形態はあらゆる点で理解を助けるための説明の例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００８０】Ｐ１，Ｐ２，Ｐ３  ゴルフパッティング練習器具、１３０  側面ガイド部材、１１０  第１の板状部材、２１０  第２の板状部材、１２０  第１の支持台部、２２０  第２の支持台部、３００  連結部、Ｑ  シャフト移動用通路、Ｐｈ  パターのヘッド。
【先行技術文献】
【特許文献】
【００８１】
【特許文献１】  特開２００５−５１５８６０号公報
【００８２】
【特許文献２】  特開１９９３−１７７０２３号公報
【００８３】
【特許文献３】  特開１９９５−２７５４２６号公報
【００８４】
【特許文献４】  特開２００５−１５２０７５号公報
【００８５】
【特許文献５】  特開２００８−０４３５１９号公報
【図１】
2016097281.tif 000003
【図２】
2016097281.tif 000004
【図３】
2016097281.tif 000005
【図４】
2016097281.tif 000006
【図５】
2016097281.tif 000007
【図６】
2016097281.tif 000008
【図７】
2016097281.tif 000009
【図８】
2016097281.tif 000010
【図９】
2016097281.tif 000011
【図１０】
2016097281.tif 000012
【図１１】
2016097281.tif 000013
【図１２】
2016097281.tif 000014
【図１３】
2016097281.tif 000015